(57)【要約】      （修正有）【課題】高い強度を有し、かつ、建設費用の低減と建設工期の短縮を可能とした護岸構造物及びそれを構成するブロックの組み合わせを提供する。【解決手段】護岸構造物１は、海５０側に設けられた第１壁１０と、土砂等３０を挟んで第１壁１０に対向する第２壁２０と、を含む。第１壁１０及び第２壁２０は、それぞれ地盤４０から鉛直方向に延びる複数の壁体１２，１４，２２，２４を第１壁１０または第２壁２０の厚さ方向Ａに積層して形成される。壁体１２，１４，２２，２４は、地盤４０から鉛直方向に延びる複数の杭８０と、杭８０の少なくとも１本が貫通して千鳥状に積み重ねた複数の板状のコンクリート製のブロック１００，２００と、を含む。第１壁１０から第２壁２０までの土砂等３０を含む護岸構造物１の奥行Ｄが第１壁１０及び第２壁２０の最大高さＨよりも長い。【選択図】図１
0003202460.tif 000002
【実用新案登録請求の範囲】
【請求項１】
護岸構造物であって、
水域側に設けられた第１壁と、
土砂等を挟んで前記第１壁に対向する第２壁と、
を含み、
前記第１壁及び前記第２壁は、それぞれ地盤から鉛直方向に延びる複数の壁体を前記第１壁または前記第２壁の厚さ方向に積層して形成され、
前記壁体は、地盤から鉛直方向に延びる複数の杭と、該杭の少なくとも１本が貫通して千鳥状に積み重ねた複数の板状のコンクリート製のブロックと、を含み、
前記第１壁から前記第２壁までの前記土砂等を含む前記護岸構造物の奥行が前記第１壁及び前記第２壁の最大高さよりも長いことを特徴とする、護岸構造物。
【請求項２】
請求項１において、
複数の前記壁体は、前記土砂等から離れる方向に向かって徐々に壁体の地盤からの高さが低くなることを特徴とする、護岸構造物。
【請求項３】
請求項１または２において、
前記第１壁は、前記土砂等の側から前記水域側に向かって徐々に地盤からの高さが低くなる３つの壁体が積層された３重構造を有することを特徴とする、護岸構造物。
【請求項４】
請求項１〜３のいずれか１項において、
前記第１壁の長手方向の一方の端部と該一方の端部と対向する前記第２壁の一方の端部との間に渡って形成された第３壁と、
前記第１壁の長手方向の他方の端部と該他方の端部と対向する前記第２壁の他方の端部との間に渡って形成された第４壁と、
を含み、
前記第３壁及び前記第４壁は、それぞれ地盤から鉛直方向に延びる少なくとも２本の杭が貫通して積み重ねられた複数の板状のブロックによって構成されることを特徴とする、護岸構造物。
【請求項５】
請求項１〜４のいずれか１項に記載の前記護岸構造物を構成する前記ブロックの組み合わせは、形状の異なる第１ブロック、第２ブロック及び第３ブロックから成り、
前記第１ブロックは、前記杭が該第１ブロックの厚さ方向に貫通できる２つの貫通孔と、前記土砂等の側に配置される側壁に溝と、を有し、
前記第２ブロックは、前記杭が該第２ブロックの厚さ方向に貫通できる１つの貫通孔と、前記土砂等の側に配置される側壁に溝と、を有し、かつ、前記第１ブロックの長さの１／２の長さを有し、
前記第３ブロックは、前記第１壁と前記第２壁との間に渡って配置される板状のブロックであって、厚さ方向に貫通する２つ以上の貫通孔と、長手方向の両端に前記溝に嵌合できる突部と、を有することを特徴とする、ブロックの組み合わせ。
【考案の詳細な説明】
【技術分野】
【０００１】
本考案は、護岸構造物及びそれを構成するブロックの組み合わせに関するものである。
【背景技術】
【０００２】
従来、海や河川における護岸構造物としては、コンクリートを一体に打設した帯状の壁体からなる防波堤や堤防などがある。
【０００３】
しかしながら、東日本大震災の経験から、コンクリートを一体に打設した壁体だけでは巨大な津波のエネルギーによって破壊されることがわかっている。また、コンクリートを一体に打設した壁体を厚くするには大量のコンクリートを要するため、建設費用も高くなり現実的ではない。
【０００４】
また、本願考案者が先に提案した擁壁もある（特許文献１参照）。
【先行技術文献】
【特許文献】
【０００５】
【特許文献１】特開２０１３−１７０４０４号公報
【考案の開示】
【考案が解決しようとする課題】
【０００６】
そこで、本考案は、高い強度を有し、かつ、建設費用の低減と建設工期の短縮を可能とした護岸構造物及びそれを構成するブロックの組み合わせを提供することを目的とする。
【課題を解決するための手段】
【０００７】
（１）本考案に係る護岸構造物は、
護岸構造物であって、
水域側に設けられた第１壁と、
土砂等を挟んで前記第１壁に対向する第２壁と、
を含み、
前記第１壁及び前記第２壁は、それぞれ地盤から鉛直方向に延びる複数の壁体を前記第１壁または前記第２壁の厚さ方向に積層して形成され、
前記壁体は、地盤から鉛直方向に延びる複数の杭と、該杭の少なくとも１本が貫通して千鳥状に積み重ねた複数の板状のコンクリート製のブロックと、を含み、
前記第１壁から前記第２壁までの前記土砂等を含む前記護岸構造物の奥行が前記第１壁及び前記第２壁の最大高さよりも長いことを特徴とする。
【０００８】
本考案に係る護岸構造物によれば、予め製造した板状のブロックを杭に通して積み重ねることによって壁体を構築することができるため、大掛かりなコンクリート打設工事を伴わないため、建設費用を低減すると共に建設工期を短縮することができる。また、本考案に係る護岸構造物によれば、土砂等を挟んで設けられる第１壁と第２壁とが複数の壁体を厚さ方向に積層して形成されることで、高い強度を実現することができる。さらに、本考案に係る護岸構造物によれば、奥行が最大高さよりも長いことにより高い強度を有することができる。
【０００９】
（２）本考案に係る護岸構造物において、
複数の前記壁体は、前記土砂等から離れる方向に向かって徐々に壁体の地盤からの高さが低くなることができる。
【００１０】
本考案に係る護岸構造物によれば、壁体が鉛直方向に延びるように形成されても津波や洪水による水によって加えられるエネルギーによって破壊されることを防止することができる。また、壁の上面が階段状に形成されることにより、外観から与えられる圧迫感を抑制する視覚効果を得ることができる。
【００１１】
（３）本考案に係る護岸構造物において、
前記第１壁は、前記土砂等の側から前記水域側に向かって徐々に地盤からの高さが低くなる３つの壁体が積層された３重構造を有することができる。
【００１２】
本考案に係る護岸構造物によれば、津波や洪水のエネルギーが直接加えられる水域側に高い強度を有することができる。
【００１３】
（４）本考案に係る護岸構造物において、
前記第１壁の長手方向の一方の端部と該一方の端部と対向する前記第２壁の一方の端部との間に渡って形成された第３壁と、
前記第１壁の長手方向の他方の端部と該他方の端部と対向する前記第２壁の他方の端部との間に渡って形成された第４壁と、
を含み、
前記第３壁及び前記第４壁は、それぞれ地盤から鉛直方向に延びる少なくとも２本の杭が貫通して積み重ねられた複数の板状のブロックによって構成されることができる。
【００１４】
本考案に係る護岸構造物によれば、予め製造した板状のブロックを杭に通して積み重ねることによって壁体を構築することができるため、大掛かりなコンクリート打設工事を伴わず、建設費用を低減すると共に建設工期を短縮することができる。
【００１５】
（５）本考案に係る護岸構造物を構成する前記ブロックの組み合わせは、形状の異なる第１ブロック、第２ブロック及び第３ブロックから成り、
前記第１ブロックは、前記杭が該第１ブロックの厚さ方向に貫通できる２つの貫通孔と、前記土砂等の側に配置される側壁に溝と、を有し、
前記第２ブロックは、前記杭が該第２ブロックの厚さ方向に貫通できる１つの貫通孔と、前記土砂等の側に配置される側壁に溝と、を有し、かつ、前記第１ブロックの長さの１／２の長さを有し、
前記第３ブロックは、前記第１壁と前記第２壁との間に渡って配置される板状のブロックであって、厚さ方向に貫通する２つ以上の貫通孔と、長手方向の両端に前記溝に嵌合できる突部と、を有することを特徴とする。
【００１６】
本考案に係るブロックの組み合わせによれば、第１ブロックと第２ブロックを用いることで千鳥状に積み重ねた際に壁体の端部に凹凸が生じることを防止できる。また、本考案に係るブロックの組み合わせによれば、第３ブロックの突部が第１ブロックと第２ブロックの壁面の溝に嵌合することで護岸構造物の全体の強度を高めることができる。
【考案の効果】
【００１７】
本考案によれば、高い強度を有し、かつ、建設費用の低減と建設工期の短縮を可能とした護岸構造物及びそれを構成するブロックの組み合わせを提供することができる。
【図面の簡単な説明】
【００１８】
【図１】第１の実施形態に係る護岸構造物のＩ−Ｉ断面図である。
【図２】第１の実施形態に係る護岸構造物の斜視図である。
【図３】第１ブロックの斜視図である。
【図４】第２ブロックの斜視図である。
【図５】第３ブロックの斜視図である。
【図６】第２の実施形態に係る護岸構造物の断面図である。
【図７】防潮橋の正面図である。
【図８】防潮橋のＶＩＩＩ−ＶＩＩＩ断面図である。
【考案を実施するための形態】
【００１９】
以下に本考案のいくつかの実施形態について説明する。以下に説明する実施形態は、本考案の例を説明するものである。本考案は以下の実施形態になんら限定されるものではなく、本考案の要旨を変更しない範囲において実施される各種の変形形態も含む。なお以下で説明される構成の全てが本考案の必須の構成であるとは限らない。
【００２０】
１．第１の実施形態
１−１．護岸構造物
まず、図１及び図２を用いて、本実施形態に係る護岸構造物１について説明する。図１は第１の実施形態に係る護岸構造物の図２におけるＩ−Ｉ断面図であり、図２は第１の実施形態に係る護岸構造物１を水域側の上方から見た斜視図である。なお、図２では杭８０を一点鎖線で示し、杭８０の下端は地盤４０の深部まで埋設されている状態を示す。
【００２１】
図１及び図２に示す護岸構造物１は、海岸沿いに築造する防潮堤である。防潮堤は、津波や高潮などによって海水が陸地に浸入するのを防ぐために海岸線に沿って設けられる堤防である。護岸構造物１は、防潮堤に限らず、河川水や湖水の氾濫を防ぐため河岸や湖岸に沿って築造する堤防であってもよい。
【００２２】
護岸構造物１は、水域（海５０）側に設けられた第１壁１０と、土砂等３０を挟んで第１壁１０に対向する第２壁２０と、を含む。水域は、防潮堤であれば図１のように海５０であるし、河川等の堤防であれば川である。
【００２３】
第１壁１０は海５０に対向して海岸線に沿って直線的に長く築造され、例えば長手方向Ｂに十数メートル〜数キロメートルの長さを有する。第１壁１０の最大高さＨは、護岸構造物１の高さに等しく、例えば５ｍ〜１０ｍの高さを有している。第１壁１０の最大高さＨは、予想される津波の高さに応じて適宜設定することができ、例えば、遠州灘であれば１０ｍ、駿河湾であれば６ｍである。
【００２４】
第２壁２０は、第１壁１０と対になるものであり、図２では第１壁１０と平行に築造され、第１壁１０と同じ長さ及び高さを有する。また、第２壁２０は、第１壁１０との間に土砂等３０で埋められた領域を有する。土砂等３０を挟み込むように第１壁１０と第２壁２０とを築造することで、コンクリートの使用量を削減できるため、費用削減効果がある。土砂等３０の表面はコンクリートやアスファルトで覆ってもよい。
【００２５】
第１壁１０及び第２壁２０は、それぞれ地盤４０から鉛直方向の上方に延びる複数の壁体１２，１４，２２，２４を第１壁１０または第２壁２０の厚さ方向Ａに積層して形成される。本実施形態では、第１壁１０は第１壁体１２と第２壁体１４とをその厚さ方向Ａに２重になるように設けられ、第２壁２０は第３壁体２２と第４壁体２４とをその厚さ方向Ａに２重になるように設けられている。第１壁１０及び第２壁２０の厚さは、例えば、それぞれ２メートル程である。このように、護岸構造物１は、土砂等３０を挟んで設けられる第１壁１０と第２壁２０とが複数の壁体１２，１４，２２，２４を厚さ方向Ａに積層して形成されることで、高い強度を実現できる。
【００２６】
ここで、「複数の壁体」とは、本実施形態で説明するような２重に積層された壁体１２
，１４（又は壁体２２，２４）であってもよいし、第２の実施形態の第１壁１０ａように３重構造や、さらに４重構造以上のものを含むものである。壁体を積層する数は、想定される津波等のエネルギーに応じて適宜設定することができ、２重構造や３重構造に限定されるものでは無く、複数の壁体の積層構造であることができる。
【００２７】
複数の壁体１２，１４，２２，２４は、土砂等３０から離れる方向に向かって徐々に壁体の地盤４０からの高さが低くなるように築造される。本実施形態では第１壁体１２は第２壁体１４よりも低く、第３壁体２２は第４壁体２４よりも低い。積層した壁体の上面によって第１壁１０及び第２壁２０は内側に向かって上る階段状に形成される。このようにすることで、壁体１２，１４，２２，２４が鉛直方向に延びるように形成されても津波や洪水による水によって加えられるエネルギーによる破壊を防止できる。また、第１壁１０及び第２壁２０の上面が階段状に形成されることにより、外観から与えられる圧迫感を抑制する視覚効果が得られる。
【００２８】
壁体１２，１４，２２，２４は、地盤４０から鉛直方向に延びる複数の杭８０と、該杭８０の少なくとも１本が貫通して千鳥状に積み重ねた複数の板状のコンクリート製のブロック１００，２００と、を含む。ブロック１００，２００の詳細については後述する。このように、予め製造した板状のブロック１００，２００を杭８０に通して積み重ねることによって壁体１２，１４，２２，２４を構築することができるため、大掛かりなコンクリート打設工事を伴わない。その結果、護岸構造物１の建設費用を低減すると共に建設工期を短縮することができる。
【００２９】
杭８０は、護岸構造物１の長手方向Ｂに沿って等間隔に並んで配置され、その下端が地盤中に埋め込まれて固定される。杭８０が地盤中に埋め込まれることで津波などを護岸構造物１が受けたときに壁体１２，１４，２２，２４の転倒を防止する。杭８０の下端は、強固な地盤（支持層）４０中に到達するまで延びていることが望ましい。杭８０は鉄筋コンクリート製である。杭８０は鋼管杭であってもよい。
【００３０】
第１壁１０から第２壁２０までの土砂等３０を含む護岸構造物１の奥行Ｄが第１壁１０及び第２壁２０の最大高さＨよりも長い。このように、護岸構造物１は、奥行Ｄが最大高さＨよりも長いことにより、高い強度を有することができる。
【００３１】
図２に示すように、護岸構造物１は、さらに第１壁１０と第２壁２０との間に第３壁６０ａと第４壁６０ｂとを含む。第３壁６０ａは、第１壁１０の長手方向Ｂの一方の端部と該一方の端部と対向する第２壁２０の一方の端部との間に渡って形成され、第４壁６０ｂは、第１壁１０の長手方向Ｂの他方の端部と該他方の端部と対向する第２壁２０の他方の端部との間に渡って形成される。したがって、護岸構造物１は、第１〜第４壁１０，２０，６０ａ，６０ｂが巨大な枠となり、その枠に囲まれた内側の領域が土砂等３０で埋められる。
【００３２】
第３壁６０ａ及び第４壁６０ｂは、それぞれ第１壁１０と同様に２重構造の壁体６２〜６８を有する。第３壁６０ａは第５壁体６２と第６壁体６４とからなり、第４壁６０ｂは第７壁体６６と第８壁体６８とからなる。
【００３３】
第３壁６０ａ及び第４壁６０ｂの各壁体６２〜６８は、それぞれ地盤４０から鉛直方向に延びる少なくとも２本の杭８０が貫通して積み重ねられた複数の板状のブロック６００によって構成される。ブロック６００については後述する。このように、護岸構造物１は、予め製造した板状のブロック６００を杭８０に通して積み重ねることによって壁体６０ａ，６０ｂを構築することができるため、大掛かりなコンクリート打設工事を伴わない。そのため、護岸構造物１の建設費用を低減すると共に建設工期を短縮することができる。
【００３４】
１−２．ブロックの組み合わせ
図３〜図５を用いて本実施形態に係る護岸構造物１を構成するブロックの組み合わせについて説明する。図３は第１ブロック１００の斜視図であり、図４は第２ブロック２００の斜視図であり、図５は第３ブロック６００の斜視図である。
【００３５】
本実施形態のブロックの組み合わせは、形状の異なる第１ブロック１００、第２ブロック２００及び第３ブロック３００から成る。第１〜第４壁１０，２０，６０ａ，６０ｂは、第１〜第３ブロック１００，２００，６００を組み合わせて積み重ねることによって構築される。第１〜第３ブロック１００，２００，６００は、コンクリート製、鉄筋コンクリート製などである。第１〜第３ブロック１００，２００，６００としては、例えば、傾斜壁面に貼り付けて施工する平型のコンクリート矢板（ＪＩＳ  Ａ  ５３７２）の一部形状を変更することで利用すれば型枠を流用できるため費用削減効果に貢献できる。
【００３６】
図３に示すように、第１ブロック１００は、杭８０が該第１ブロック１００の厚さ方向Ａ１に貫通できる２つの貫通孔１２０，１２２と、土砂等３０（図１，２）の側に配置される側壁１１２に溝１１４と、を有する。第１ブロック１００は、例えば、長さ１０，０００ｍｍ×幅９９６ｍｍ×厚さ２２０ｍｍであり、開口径４５０ｍｍの貫通孔１２０，１２２の位置は第１ブロック１００の両端から２，５００ｍｍである。
【００３７】
図４に示すように、第２ブロック２００は、杭８０が該第２ブロック２００の厚さ方向Ａ２に貫通できる１つの貫通孔２２０と、土砂等３０（図１，２）の側に配置される側壁２１２に溝２１４と、を有し、かつ、第１ブロック１００の長さＬ１（図３）の１／２の長さＬ２を有する。第２ブロック２００は、例えば、長さ５，０００ｍｍ×幅９９６ｍｍ×厚さ２２０ｍｍであり、開口径４５０ｍｍの貫通孔２２０の位置は第２ブロック２００の端から２，５００ｍｍである。
【００３８】
第１ブロック１００と第２ブロック２００の積み重ね構造について、図２を用いて説明すると、第１ブロック１００の貫通孔１２０，１２２に２本の杭８０を通して、第１壁体１２の長手方向Ｂに沿って第１ブロック１００の長手方向が合致するように１段目の第１ブロック１００を複数並べる。次に、その１段目の上に、１段目の第１ブロック１００と１本の杭８０だけが共通するように杭８０を貫通孔２２０に通して、２段目の第１ブロック１００を積み重ねる。１段目から上段に向かって第１ブロック１００は上下の他のブロックの一部が重なり合うように千鳥状に積み重ねられる。２段目の両端には第２ブロック２００が積み重ねられる。第２ブロック２００は第１ブロック１００の半分の長さなので、下段及び上端の第１ブロック１００と杭８０の一本を共通にしながら、１段目の第１ブロック１００の端から突出することが無い。そのため、第１ブロック１００と第２ブロック２００を用いることで千鳥状に積み重ねた際に壁体１２，１４，２２，２４の端部に凹凸が生じることを防止できる。
【００３９】
図５に示すように、第３ブロック６００は、第１壁１０と第２壁２０との間に渡って配置される板状のブロックであって、厚さ方向Ａ３に貫通する２つ以上の貫通孔６２０，６２２と、長手方向Ｂ３の両端に突部６２４，６２４と、を有する。突部６２４は、第１ブロック１００の溝１１４または第２ブロック２００の溝２１４の形状に合致しており、組み合わせることで嵌合できる。図５では破線で表した第２ブロック２００の溝２１４内に突部６２４が嵌合している状態を示している。したがって、第３壁６０ａ及び第４壁６０ｂにおける第３ブロック６００は、第１壁１０及び第２壁２０における第１ブロック１００または第２ブロック２００が積み重ねられた各段と同じ高さで組み合わされる。第３ブロック６００の前後左右への移動は杭８０によって制限され、第３ブロック６００の厚さ方向Ａ３への移動はこの嵌合によって制限されるため、施工時の位置出しが容易であり、
工期の短縮に貢献する。
【００４０】
第３ブロック６００は、例えば、長さ１０，０００ｍｍ×幅９９６ｍｍ×厚さ２２０ｍｍであり、開口径４５０ｍｍの貫通孔６２０，６２２の位置は第３ブロック６００の両端から２，５００ｍｍである。突部６２４は、第３ブロック６００の全幅に渡って形成される。
【００４１】
第３ブロック６００の積み重ね構造について説明すると、図２に示すように、第３ブロック６００を２本の杭８０に貫通孔６２０，６２２を通して地盤４０上に積み重ねる。その際、第３ブロック６００の長手方向の両端部の突部６２４を第１ブロック１００または第２ブロック２００の溝１１４，２１４に嵌合させながら積み重ねる。第３ブロック６００の長さは、第３壁６０ａ及び第４壁６０ｂの長さと等しく、すなわち第１壁１０と第２壁２０との間隔である。このように、第３ブロック６００の突部６２４が第１ブロック１００と第２ブロック２００の側壁１１２，２１２の溝１１４，２１４に嵌合することで護岸構造物１の全体の強度を高めることができる。
【００４２】
図示しないが、護岸構造物１の陸側及び／または海５０側に階段を設けてもよい。護岸構造物の歩道や車道としての利用を促し、景観上の違和感を緩和するためである。
【００４３】
各ブロック１００，２００，６００の形状は、現在市場で流通するコンクリート矢板の形状を一部変更して用いたが、これに限定されることなく、使用態様に応じて適宜変更してもよい。
【００４４】
２．第２の実施形態
第２の実施形態に係る護岸構造物１ａについて説明する。図６は、第２の実施形態に係る護岸構造物１ａの断面図である。護岸構造物１ａの基本的な構成は、第１の実施形態に係る護岸構造物１と同様であるので、重複する説明は省略する。
【００４５】
護岸構造物１ａの第１壁１０ａは、土砂等３０の側から水域（海５０）側に向かって徐々に地盤４０からの高さが低くなる３つの壁体１２，１４ａ，１６が積層された３重構造を有する点で護岸構造物１と相違する。このようにすることで、津波や洪水のエネルギーが直接加えられる水域側に高い強度をさらに有することができる。すなわち、水域側により高い強度を持たせるため、第２壁２０ａを構成する壁体２２ａ，２４ａの積層数よりも第１壁１０ａの方が壁体１２，１４ａ，１６の積層数を多くすることが好ましい。したがって、第２壁２０ａが３重構造の壁体であれば、第１壁１０ａは４重構造や５重構造の壁体を採用してもよい。
【００４６】
第１壁１０における第２壁体１４ａは、第１の実施形態での第２壁体１４よりも例えば５段高く、第２壁２０ａにおける第３壁体２２ａは、第１の実施形態での第３壁体２２よりも例えば１３段高く、第４壁体２４ａは、第１の実施形態での第４壁体２４よりも例えば１８段高く築造される。そして、第９壁体１６は、第２壁体１４ａよりも例えば１３段高く築造される。
【００４７】
土砂等３０及び図示しない第３壁及び第４壁は、護岸構造物１ａの最大高さである第９壁体１６及び第４壁体２４ａの高さと同じである。
【００４８】
第９壁体１６は、第１の実施形態での第１壁体１２等と同様に、第１ブロック１００を杭８０に通して千鳥状に積み重ねられ、第９壁体１６の端部では第２ブロック２００を一部に用いている。
【００４９】
このように護岸構造物１の高さはブロックを積み重ねる数を変更することで容易に変更することができ、予想される津波や洪水の高さに応じて適宜設定することができる。また、壁体を部分的に２重構造から３重構造へ、さらに４重構造以上の多重構造とすることで、護岸構造物１，１ａの強度を向上させることができる。
【００５０】
３．防潮橋
河口付近に護岸構造物１を築造する場合に、河川５２の両岸まで延びた２つの護岸構造物１，１の間を繋ぐ防潮橋９０について説明する。図７は防潮橋９０の正面図であり、図８は防潮橋９０の図７におけるＶＩＩＩ−ＶＩＩＩ断面図である。
【００５１】
防潮橋９０は、河川５２の上方で両岸の護岸構造物１，１の間に掛け渡されている。防潮橋９０は、地盤あるいは河川の川底から上方へ延びる複数の支柱９１に支えられている。支柱９１の上には、Ｈ鋼９３，９４が格子状に組み上げられ、その格子状の間に鉄板９２が固定されている。したがって、防潮橋９０は海側から見て多数の鉄板９２によって１枚の巨大な壁面を形成する。
【００５２】
本考案は、上述した実施形態に限定されるものではなく、さらに種々の変形が可能である。例えば、本考案は、実施形態で説明した構成と実質的に同一の構成（例えば、機能、方法、及び結果が同一の構成、あるいは目的及び効果が同一の構成）を含む。また、本考案は、実施形態で説明した構成の本質的でない部分を置き換えた構成を含む。また、本考案は、実施形態で説明した構成と同一の作用効果を奏する構成または同一の目的を達成することができる構成を含む。また、本考案は、実施形態で説明した構成に公知技術を付加した構成を含む。
【符号の説明】
【００５３】
１，１ａ…護岸構造物、１０，１０ａ…第１壁、１２…第１壁体、１４，１４ａ…第２壁体、１６…第９壁体、２０…第２壁、２２，２２ａ…第３壁体、２４，２４ａ…第４壁体、３０…土砂等、４０…地盤、５０…海、５２…河川、６０ａ…第３壁、６０ｂ…第４壁、６２…第５壁体、６４…第６壁体、６６…第７壁体、６８…第８壁体、８０…杭、９０…防潮橋、９１…支柱、９２…鉄板、９３，９４…Ｈ鋼、１００…第１ブロック、１１２…側壁、１１４…溝、１２０，１２２…貫通孔、２００…第２ブロック、２１２…側壁、２１４…溝、２２０…貫通孔、６００…第３ブロック、６２０，６２２…貫通孔、６２４…突部、Ａ，Ａ１，Ａ２，Ａ３…厚さ方向、Ｂ，Ｂ３…長手方向、Ｄ…奥行、Ｈ…最大高さ、Ｌ１，Ｌ２…長さ
【図１】
0003202460.tif 000003
【図２】
0003202460.tif 000004
【図３】
0003202460.tif 000005
【図４】
0003202460.tif 000006
【図５】
0003202460.tif 000007
【図６】
0003202460.tif 000008
【図７】
0003202460.tif 000009
【図８】
0003202460.tif 000010